(57)【特許請求の範囲】
【請求項１】
複数の鋼材からなる角柱を束ね、前後左右に設置される支柱と、
前記支柱の底部に取付けられ、床を形成する敷板鋼板と、
鋼材からなり、前記支柱の頂部に取付けられる天井枠と、
前記天井枠の上側に固定され、中央部の高さが周囲部より高く、上方向に突出する木製格子と、
前記天井枠の長手方向両側に、斜め下方に向けて設けられるファンと、
前記ファンに隣接して設けられる噴霧ノズルと、
が備えられることを特徴とするパーゴラ。
【請求項２】
連結板が、左右両側の前後２つの前記支柱の下端を連結するように設けられることを特徴とする請求項１に記載のパーゴラ。
【請求項３】
前記天井枠に、前記木製格子の中央部を囲むようにコ字形のプランターが向かい合わせに設けられることを特徴とする請求項１に記載のパーゴラ。
【請求項４】
前記角柱は、内部が中空で、下部に排水口が設けられることを特徴とする請求項１に記載のパーゴラ。
【請求項５】
前後左右の前記支柱に取りつけられるテーブルと、正面側と背面側の前記支柱に取り付けられ、外側に突出する片持ち式のベンチと、が備えられることを特徴とする請求項１に記載のパーゴラ。
【発明の詳細な説明】
【技術分野】
【０００１】
本発明は、パーゴラ（日陰棚）に係り、より詳細には、公園等に設置され、涼しくて快適に休憩することができるパーゴラに関する。
【背景技術】
【０００２】
特許文献１には、天井に格子棚を備えたパーゴラが示される。しかしながら、桟が高さ方向に幅がなく太陽光が上から直に差し込んでくるので、日蔭となる箇所が十分にできない。また、建物にボルト連結されるので、移動が容易ではない。そのため、公園等への設置には適していない。
【０００３】
特許文献２に示される雨水施設には、屋根に太陽光パネルを搭載した休憩所を備える。休憩所にはミスト噴霧装置が設けられ、真夏の炎天下でも涼しい環境にできる。しかしながら、屋根が太陽光パネルで覆われるので、雨には強いが、晴れた日に空が見えず開放感が得られない。また、霧を発生させても風がないから、蒸し暑さから解放されない。
【先行技術文献】
【特許文献】
【０００４】
【特許文献１】実開昭６３−１０２８０１号公報
【特許文献２】特開２０１６−１６６４５４号公報
【発明の概要】
【発明が解決しようとする課題】
【０００５】
本発明の目的は、涼しくて快適なパーゴラを提供することにある。
【課題を解決するための手段】
【０００６】
本発明によるパーゴラは、複数の鋼材からなる角柱を束ね、前後左右に設置される支柱と、前記支柱の底部に取付けられ、床を形成する敷板鋼板と、鋼材からなり、前記支柱の頂部に取付けられる天井枠と、前記天井枠の上側に固定され、中央部の高さが周囲部より高く、上方向に突出する木製格子と、前記天井枠の長手方向両側に、斜め下方に向けて設けられるファンと、前記ファンに隣接して設けられる噴霧ノズルと、が備えられることを特徴とする。
【０００７】
連結板が、左右両側の前後２つの前記支柱の下端を連結するように設けられることを特徴とする。
【０００８】
前記天井枠に、前記木製格子の中央部を囲むようにコ字形のプランターが向かい合わせに設けられることを特徴とする。
【０００９】
前記角柱は、内部が中空で、下部に排水口が設けられることを特徴とする。
【００１０】
前後左右の前記支柱に取りつけられるテーブルと、正面側と背面側の前記支柱に取り付けられ、外側に突出する片持ち式のベンチと、が備えられることを特徴とする。
【発明の効果】
【００１１】
本発明によるパーゴラによれば、（１）天井枠の長手方向両側に、斜め下方に向けて設けられるファンと、これに隣接する噴霧ノズルとを設けたので、霧と風の両方が得られ、涼しくてかつ快適に休憩することができる。（２）敷板鋼板を設けたので、重心を低くでき、置くだけなので設置が容易である。移動も容易である。（３）天井枠の上側に固定され、中央部の高さが周囲部より高く、上方向に突出する木製格子を設けたので、太陽光の差し込む量を制限でき、日除けの機能を果たせる。
【００１２】
左右両側の前後の２つの支柱の下端を連結する連結板を設けたので、重さが増えて、パーゴラの重心をさらに低下させることができ、強風でも転倒しない安定した設置ができる。
【００１３】
天井枠に、コ字形のプランターを設けたので、植物が生い茂った状態では太陽光の差し込む量がさらに制限できる。
【００１４】
支柱を構成する角柱の下部に排水口を設けたので、角柱の上端開口部から雨水が浸入しても排出できる。天井枠にプランターを設けた場合、プランターの底部排水孔を角柱の上端開口部に連結することで、プランターの排水ができる。
【００１５】
支柱にテーブルとベンチを取り付けたので、座っての休憩ができる。ベンチは外側に突出する片持ち式としたので、脚がなく地面の掃除がしやすい。
【図面の簡単な説明】
【００１６】
【図１】本発明によるパーゴラの斜視図である。（実施例１）
【図２】図１に示すパーゴラの正面図である。
【図３】図１に示すパーゴラの右側面図である。
【図４】図１に示すパーゴラの平面図である。
【図５】図１に示すパーゴラの底面図である。
【図６】パーゴラの内側から左側面上方向を見た図である。
【図７】本発明によるパーゴラの平面図である。（実施例２）
【図８】図７でプランターの植物が茂った状態を示す図である。
【図９】ベンチとテーブルを備えるパーゴラの斜視図である。
【図１０】噴霧ノズルの系統図である。
【発明を実施するための形態】
【００１７】
以下、添付の図面を参照して、本発明によるパーゴラを詳しく説明する。
【実施例１】
【００１８】
図１は、本発明によるパーゴラ１００の斜視図である。パーゴラ１００は、前後左右に設置される４本の支柱１を有する。支柱１は、中空の鋼材の柱４本を繋ぎ部材１０で束ねたものである。支柱１底部には、敷板鋼板７が取付けられ、床を形成する。これにより、地面にアンカーボルトを打ち込むことなしに設置できる。支柱１の頂部には、鋼材からなる天井枠２が取付けられる。天井枠２の上側には、木製格子３が載置され固定される。木製格子３は、周辺部３ａと中央部３ｂからなる。中央部３ｂの高さは、周囲部３ａより高く、上方向に突出した形状である。中央部３ｂの高さは、具体的には１２０ｍｍで、周辺部３ａの高さ８０ｍｍの１．５倍の高さがある。
【００１９】
左右両側の支柱１、１の下端を連結するように連結板８が設けられる。連結板８は、敷板鋼板７に加えて、パーゴラ１００の重量を増し、重心を下げるので、安定した設置ができる。例として、敷板鋼板７の重量は約１５２ｋｇで、連結板８の重量は約２８ｋｇで、両側合わせて約５６ｋｇの重さがある。敷板鋼板７と連結板８の合計は約２０８ｋｇとなる。パーゴラ１００の重心を低くできる。
【００２０】
左右両側の支柱１、１間の下部を連結するように脚連結部材９が設けられる。幕板６は上幕板６ａと下幕板６ｂからなる。木製格子３の周囲部３ａの４方の側面には、木製の上幕板６ａを設け、上幕板６ａの下側に少し離して、木製の下幕板６ｂを設けた。上幕板６ａは、木製格子３を構成する桟の端面を覆う。下幕板６ｂは、天井枠２の４方の側面の下側部分を覆う。
【００２１】
支柱１は、例として亜鉛メッキを施した。木製格子３には、酸化亜鉛含浸処理を施し、防腐と防虫を可能にした。加圧水蒸気下の加熱処理によっても同様の効果がある。天井枠２はステンレスとした。パーゴラ１００の寸法は、これに限るものではないが、横幅は天井側で約２．７ｍ、床側で約２．１ｍ、高さは約２．４ｍ、奥行きは、天井側で約２ｍ、床側で約１ｍである。支柱１を構成する角柱は、縦横３５ｍｍ、中空で、１６本が使用される。なお、パーゴラ１００の設置面積は、約２．１５ｍ２である。総重量は、約５４０ｋｇである。
【００２２】
図２は、図１に示すパーゴラ１００の正面図である。下幕板６ｂの下側には、左右の支柱１、１の上部を連結する連結部材２ａが見える。木製格子３の中央部３ｂは、上幕板６ａより上方向に突出している。中央部３ｂは、横幅は、両側とも上幕板６ａの横幅より１格子分小さい。木製格子３の周辺部３ａは、側面が上幕板６ａで覆われて見えない。上幕板６ａと下幕板６ｂの隙間に、天井枠２の側面が見える。連結板８は、幅が約１４０ｍｍ、奥行が約１ｍ、厚さが約２５ｍｍである。敷板鋼板７は、幅が約２ｍ、奥行が約１ｍ、厚さが約９ｍｍである。
【００２３】
図３は、図１に示すパーゴラの右側面図である。木製格子３の中央部３ｂは、上幕板６ａより上方向に突出している。中央部３ｂは、横幅が両側とも上幕板６ａの横幅より１格子分小さい。上幕板６ａと下幕板６ｂの隙間に、天井枠２の側面が見える。支柱１を形成する角柱の底部には排水口１１が設けられ、角柱の上端開口部から雨水が浸入しても排出できる。
【００２４】
図４は、図１に示すパーゴラの平面図である。木製格子３の周囲は上幕板６ａで囲まれる。その内側に木製格子３が設けられる。木製格子３は、縦桟と横桟が、格子状に組み合わされて構成される。縦桟は、ｘ２〜ｘ１１の位置（〇印の位置）に１０本が使用され、横桟は、ｙ２〜ｙ７の位置に（〇印の位置）に６本が使用される。破線で囲む部分が、木製格子３の中央部３ｂで、周囲部３ａより高さが高くされる。
【００２５】
天井枠２も縦桟と横桟からなる。図４で上から見える天井枠２は、点々で塗り潰した。天井枠２の縦桟は、黒〇印で示す位置ｘ１、ｘ２、ｘ６、ｘ７、ｘ１１、ｘ１２にあって６本が使用される。ｘ２、ｘ６、ｘ７、ｘ１１の縦桟は、木製格子３の縦桟の下側にあって重なり、上からは見えない。天井枠２の横桟は、黒〇印で示す位置ｙ１、ｙ２、ｙ７、ｙ８にあって、４本が使用される。ｙ２とｙ７の横桟は、木製格子３の横桟の下側にあって重なり、上からは見えない。
【００２６】
４本の支柱１は、連結部材２ａ、２ａで左右方向の支柱１、１の上部が連結され、連結部材２ｂ、２ｂで前後方向の支柱１、１の上部が連結される。図４では、連結部材２ａ、２ｂは点々で塗り潰した。支柱１の角柱の上端は、開口部が開放されている。
【００２７】
図５は、図１に示すパーゴラ１００の底面図である。底面には敷板鋼板７が設けられる。天井枠２の上に木製格子３が搭載されるので、図５では、敷板鋼板７の周囲に天井枠２の縦桟と横桟が見える。木製格子３も一部が見える。
【００２８】
図６は、パーゴラ１００の内側から左側面上方向を見た図である。パーゴラ１００の左側の天井部分に斜め下方に向けて設けられるファン１２と、これに隣接して噴霧ノズル１３が設けられる。同様にパーゴラ１００の右側の天井部分にもファン１２と噴霧ノズル１３が設けられる。噴霧ノズル１３は、水道に接続されるポンプ装置（図示せず）からホースで連結される。例として支柱１に操作盤１６が設けられる。操作盤１６には、噴霧ノズル１３のオンオフボタンと、ファン１２のオンオフボタンが設けられ、利用者が自在に運転を指示できる。噴霧ノズル１３のみ、あるいはファン１２のみを運転させることもできる。
【実施例２】
【００２９】
図７は、本発明によるパーゴラ１００（実施例２）の平面図である。実施例１との違いは、金属製のプランター４が、天井枠２の上に設置される点にある。プランター４は、箱型で平面視がコ字形で、向かい合うように２つが設置される。プランター４、４は、木製格子３の中央部３ｂを囲むように設けられる。木製格子３の外周部３ａはそのまま残しており、そのため、実施例２の中央部３ａは、実施例１の中央部３ｂより縦と横の寸法が小さい。
【００３０】
木製格子３は、外周部３ａと中央部３ｂがプランター４で分離されることがないので、一連のものに組み上げ、パーゴラ１００の上方向から下方向に降ろすことで設置できる。天井枠２にプランター４を設けた場合、プランター４の底部排水孔を角柱の上端開口部に連結する。これによりプランター４の排水が、支柱１を構成する中空の角柱の下部に設けた排水口１１から排水できる。
【００３１】
図８は、図７でプランター４の植物が茂った状態を示す図である。プランター４の高さは、木製格子３の中央部３ｂの高さと同じにした。プランター４に植えた植物５が生い茂った状態では太陽光の差し込む量が制限できる。格子枠から差し込む太陽光が遮られ、風で揺れる日陰ができる。
【００３２】
図９は、ベンチ１４とテーブル１５を備えるパーゴラの斜視図である。支柱１にベンチ１４とテーブル１５を取り付けた。ベンチ１４とテーブル１５はオプションで、購入者の要望により取り付ける。ベンチ１４は、外側に突出し片持ち式で脚がなく支柱１、１で支えられる。
【００３３】
図１０は、噴霧ノズル１３の系統図である。噴霧ノズル１３はホースでポンプに接続される。ポンプには、水道管が取り付けられ、１００Ｖ電源で駆動される。ホースは数１０ｍの長さで、ポンプの運転は、離れて設けられる操作盤１６から指示される。
【産業上の利用可能性】
【００３４】
本発明のパーゴラは、ファンと噴霧ノズルを備えるので、公園などに設置するパーゴラとして好適である。
【符号の説明】
【００３５】
１    支柱
２    天井枠
２ａ    連結部材
２ｂ    連結部材
３    木製格子
３ａ  外周部
３ｂ  中央部
４    プランター
５    植物
６    幕板
６ａ    上幕板
６ｂ    下幕板
７    敷板鋼板
８    連結板
９    脚連結部材
１０    繋ぎ部材
１１    排水口
１２    ファン
１３    噴霧ノズル
１４    ベンチ
１５    テーブル
１６    操作盤
１００    パーゴラ
【要約】
【課題】涼しくて快適なパーゴラを提供する。
【解決手段】本発明のパーゴラは、複数の鋼材からなる角柱を束ね、前後左右に設置される支柱と、支柱の底部に取付けられ、床を形成する敷板鋼板と、鋼材からなり、支柱の頂部に取付けられる天井枠と、天井枠の上側に固定され、中央部の高さが周囲部より高く、上方向に突出する木製格子と、天井枠の長手方向両側に、斜め下方に向けて設けられるファンと、ファンに隣接して設けられる噴霧ノズルと、が備えられる。
【選択図】図１【図１】
0006581326.tif 000002
【図２】
0006581326.tif 000003
【図３】
0006581326.tif 000004
【図４】
0006581326.tif 000005
【図５】
0006581326.tif 000006
【図６】
0006581326.tif 000007
【図７】
0006581326.tif 000008
【図８】
0006581326.tif 000009
【図９】
0006581326.tif 000010
【図１０】
0006581326.tif 000011